(57)【要約】【課題】  オーディオ機器用防振装置および防振装置を備えたオーディオラックを提供する。【解決手段】  本発明は、応力変形部と、前記応力変形部に対して一側方に向かって突出した複数の支持部とを有する弾性応力ホルダを含む、オーディオ機器用防振装置に関する。前記防振装置は、大部分の共振がオーディオ機器、弾性応力ホルダ、およびオーディオ機器支持板に侵入することを防止し、オーディオ機器が音波や共振に影響を受けずに安定的に動作することができ、本来の性能を達成し、出力される音声の歪み率が低下する。【選択図】  図１
2018162882.tif 000002
【特許請求の範囲】
【請求項１】
応力変形部（１１）と、前記応力変形部（１１）に対して一側方に向かって突出した複数の支持部（１３）とを有する弾性応力ホルダ（１０）を含むことを特徴とする、オーディオ機器用防振装置。
【請求項２】
前記弾性応力ホルダ（１０）が、中実三角形形状、三点星形形状、中空三角形形状、または四脚橋形形状であることを特徴とする請求項１に記載の防振装置。
【請求項３】
前記支持部（１３）が、前記弾性応力ホルダ（１０）を構成する形状の径方向外側端部に位置し、前記応力変形部（１１）が、前記支持部（１３）の間の連結部から形成されていることを特徴とする請求項２に記載の防振装置。
【請求項４】
前記弾性応力ホルダ（１０）が直線の細長形状であり、前記支持部（１３）が、前記弾性応力ホルダ（１０）を構成する直線の細長形状の両端に位置することを特徴とする請求項１に記載の防振装置。
【請求項５】
前記支持部（１３）の下端が、支持用の接触線を有しており、前記接触線が、前記弾性応力ホルダ（１０）の直線細長形状の延在方向に対して傾斜しているかまたは垂直であることを特徴とする請求項４に記載の防振装置。
【請求項６】
前記弾性応力ホルダ（１０）が弓形形状であり、前記弾性応力ホルダ（１０）の弓形形状の両端が前記支持部（１３）を形成し、前記支持部（１３）の末端が、内向きに延びるフック部（１６）を有しており、前記応力変形部（１１）と前記支持部（１３）の内向きに延びるフック部（１６）との間に、オーディオ機器を保持するための保持空間が画成されていることを特徴とする請求項１に記載の防振装置。
【請求項７】
前記フック部（１６）が、前記応力変形部（１１）に向かって延びる突起部（１７）を有することを特徴とする請求項６に記載の防振装置。
【請求項８】
前記応力変形部（１１）が突起部（１７）を有しており、前記応力変形部（１１）の突起部（１７）の延在方向が前記支持部（１３）の延在方向と逆であることを特徴とする請求項１〜７のいずれか一項に記載の防振装置。
【請求項９】
前記弾性応力ホルダ（１０）の材料が、ポリメタクリル酸メチル、ポリアクリル酸、ポリアクリレート、ポリカーボネート、ポリスチレン、ＰＥ、ＰＰ、ＰＥＴ、ＰＢＴ、およびＡＢＳのうち一種であることを特徴とする請求項１〜７のいずれか一項に記載の防振装置。
【請求項１０】
複数の弾性応力ホルダの組み合わせ構造であり、少なくとも第１の弾性応力ホルダ（２０）と第２の弾性応力ホルダ（３０）とを含み、前記第１および第２の弾性応力ホルダ（２０、３０）が、応力変形部（２１、３１）と支持部（２３、３３）とをそれぞれ有しており、前記第１の弾性応力ホルダ（２０）の応力変形部（２１）が前記第２の弾性応力ホルダ（３０）に連結されていることを特徴とする、オーディオ機器用防振装置。
【請求項１１】
前記第１の弾性応力ホルダ（２０）の応力変形部（２１）が、前記第２の弾性応力ホルダ（３０）の支持部（３３）が位置する一側方に位置しており、前記第１の弾性応力ホルダ（２０）の支持部（２３）の延在方向と、前記第２の弾性応力ホルダ（３０）の支持部（３３）の延在方向とが一致することを特徴とする請求項１０に記載の防振装置。
【請求項１２】
前記第１の弾性応力ホルダ（２０）の応力変形部（２１）が前記第２の弾性応力ホルダ（３０）の応力変形部（３１）に連結されていることを特徴とする請求項１１に記載の防振装置。
【請求項１３】
前記第１の弾性応力ホルダ（２０）が、周方向に分布する少なくとも２つの支持部（２３）を有することを特徴とする請求項１２に記載の防振装置。
【請求項１４】
前記第２の弾性応力ホルダ（３０）の支持部（３３）の末端が、内向きに延びるフック部（３６）を有しており、前記第１の弾性応力ホルダ（２０）の支持部（２３）と、前記第２の弾性応力ホルダ（３０）の支持部（３３）の末端上の内向きに延びるフック部（３６）との間に、オーディオ機器を保持するための保持空間が画成されていることを特徴とする請求項１２に記載の防振装置。
【請求項１５】
前記第１の弾性応力ホルダ（２０）の応力変形部（２１）が、前記第２の弾性応力ホルダ（３０）の支持部（３３）上の、前記第２の弾性応力ホルダ（３０）の応力変形部（３１）から遠位の一端部に連結され、前記第２の弾性応力ホルダ（３０）の応力変形部（３１）に、オーディオ機器を支持するための支持面が形成されていることを特徴とする請求項１１に記載の防振装置。
【請求項１６】
前記第１の弾性応力ホルダ（２０）が、中実三角形形状、三点星形形状、中空三角形形状、または四脚橋形形状であることを特徴とする請求項１０〜１５のいずれか一項に記載の防振装置。
【請求項１７】
前記第１の弾性応力ホルダ（２０）が直線の細長形状であり、前記第１の弾性応力ホルダ（２０）の支持部（２３）が、前記第１の弾性応力ホルダ（２０）を構成する直線細長形状の両端に位置することを特徴とする請求項１０〜１５のいずれか一項に記載の防振装置。
【請求項１８】
前記第１の弾性応力ホルダ（２０）の支持部（２３）の下端が、支持用の接触線を有しており、前記接触線が、前記第１の弾性応力ホルダ（２０）の直線細長形状の延在方向に対して傾斜しているかまたは垂直であることを特徴とする請求項１７に記載の防振装置。
【請求項１９】
前記第１の弾性応力ホルダ（２０）と前記第２の弾性応力ホルダ（３０）の材料が、ポリメタクリル酸メチル、ポリアクリル酸、ポリアクリレート、ポリカーボネート、ポリスチレン、ＰＥ、ＰＰ、ＰＥＴ、ＰＢＴ、およびＡＢＳのうち一種または少なくとも２種の組み合わせであることを特徴とする請求項１０〜１５のいずれか一項に記載の防振装置。
【請求項２０】
複数の弾性応力ホルダの組み合わせ構造であり、第１の弾性応力ホルダ（２０）と第２の弾性応力ホルダ（３０）とを少なくとも含み、前記第１および第２の弾性応力ホルダ（２０、３０）が、応力変形部（２１、３１）と支持部（２３、３３）とをそれぞれ有しており、前記第１の弾性応力ホルダ（２０）の支持部（２３）と前記第２の弾性応力ホルダ（３０）の支持部（３３）とが、反対の方向に向かって互いに遠ざかるように突出し、前記第２の弾性応力ホルダ（３０）上の支持部（３３）が前記第１の弾性応力ホルダ（２０）上の支持部（２３）と周方向にずれて配置されていることを特徴とする、オーディオ機器用防振装置。
【請求項２１】
前記第１の弾性応力ホルダ（２０）が円環形状であり、前記第１の弾性応力ホルダ（２０）の支持部（２３）の数が少なくとも３つであり、前記第１の弾性応力ホルダ（２０）の少なくとも３つの支持部（２３）が周方向に均等に分布し、前記第１の弾性応力ホルダ（２０）の応力変形部（２１）が、前記第１の弾性応力ホルダ（２０）の支持部（２３）の間の円弧状をなす円環の区間から形成されていることを特徴とする請求項２０に記載の防振装置。
【請求項２２】
前記第２の弾性応力ホルダ（３０）が前記第１の弾性応力ホルダ（２０）の下方に位置し、前記第２の弾性応力ホルダ（３０）が円環形状であり、前記第２の弾性応力ホルダ（３０）の支持部（３３）の数が少なくとも３つであり、前記第２の弾性応力ホルダ（３０）の少なくとも３つの支持部（３３）が周方向に均等に分布し、前記第２の弾性応力ホルダ（３０）の応力変形部（３１）が、前記第２の弾性応力ホルダ（３０）の支持部（３３）の間の円弧状をなす円環の区間から形成されていることを特徴とする請求項２１に記載の防振装置。
【請求項２３】
前記第１の弾性応力ホルダ（２０）の応力変形部（２１）と前記第１の弾性応力ホルダ（２０）の支持部（２３）の連結位置に、幅が円環の幅よりも大きくかつ径方向外向きに延びる外側突起部（２８）を有し、前記第１の弾性応力ホルダ（２０）の支持部（２３）が前記外側突起部（２８）上に設けられていることを特徴とする請求項２２に記載の防振装置。
【請求項２４】
前記第２の弾性応力ホルダ（３０）の応力変形部（３１）と前記第２の弾性応力ホルダ（３０）の支持部（３３）の連結位置に、幅が円環の幅よりも大きくかつ径方向内向きに延びる内側突起部（３８）を有し、前記第２の弾性応力ホルダ（３０）の支持部（３３）が前記内側突起部（３８）上に設けられていることを特徴とする請求項２３に記載の防振装置。
【請求項２５】
前記第２の弾性応力ホルダ（３０）の応力変形部（３１）上の隣り合う２つの支持部（３３）の間の中間位置に、前記第１の弾性応力ホルダ（２０）の応力変形部（２１）上の外側突起部（２８）に対応する外側突出形状を有することを特徴とする請求項２４に記載の防振装置。
【請求項２６】
前記第１の弾性応力ホルダ（２０）の応力変形部（２１）上の隣り合う２つの支持部（２３）の間の中間位置に、前記第２の弾性応力ホルダ（３０）の応力変形部（３１）上の内側突起部（３８）に対応する内側突出形状を有することを特徴とする請求項２５に記載の防振装置。
【請求項２７】
前記第１の弾性応力ホルダ（２０）が三点星形形状または中空三角形形状であり、前記第２の弾性応力ホルダ（３０）が三点星形形状または中空三角形形状であることを特徴とする請求項２０に記載の防振装置。
【請求項２８】
前記第１の弾性応力ホルダ（２０）と前記第２の弾性応力ホルダ（３０）の材料が、ポリメタクリル酸メチル、ポリアクリル酸、ポリアクリレート、ポリカーボネート、ポリスチレン、ＰＥ、ＰＰ、ＰＥＴ、ＰＢＴ、およびＡＢＳのうち一種または少なくとも２種の組み合わせであることを特徴とする請求項２０〜２７のいずれか一項に記載の防振装置。
【請求項２９】
フレーム（５０）と、前記フレーム（５０）に設けられた請求項１〜２８のいずれか一項に記載の防振装置とを含むことを特徴とする、防振装置を備えたオーディオラック。
【請求項３０】
前記フレーム（５０）が、第１の支持柱（５１）、第２の支持柱（５２）、第３の支持柱（５３）、および第４の支持柱（５４）を含み、前記オーディオラックが、三角形に配置した第１、第２、および第３の防振装置を含み、前記第１および第２の防振装置はそれぞれ請求項１〜９のいずれか一項に記載の防振装置であり、それぞれ片持ち梁によって前記第１の支持柱（５１）および第２の支持柱（５２）上に支持され、前記第３の防振装置は請求項１０に記載の防振装置であり、前記第３の防振装置の第２の弾性応力ホルダ（３０）の２つの支持部（３３）が、それぞれカンチレバー方式で前記第３の支持柱（５３）および第４の支持柱（５４）上に支持され、前記第３の防振装置の第１の弾性応力ホルダ（２０）が、前記第２の弾性応力ホルダ（３０）の応力変形部（３１）の中部上側に設けられ、前記第１および第２の防振装置の弾性応力ホルダ（１０、１０’）の応力変形部が、前記第３の防振装置の第１の弾性応力ホルダ（２０）の応力変形部と共に、オーディオ機器を支持するための支持面を形成することを特徴とする請求項２９に記載のオーディオラック。
【発明の詳細な説明】
【技術分野】
【０００１】
本発明は、オーディオ機器用防振装置および防振装置を備えたオーディオラックに関し、特に、オーディオ機器と、オーディオ機器を支持する薄板との共鳴および共振を低減するための、弾性応力ホルダを有する防振装置および防振装置を備えたオーディオラックに関する。
【背景技術】
【０００２】
オーディオ機器のハウジングや、オーディオ機器を支持する薄板の特性は楽器の共鳴箱に似ており、それらが演奏されたり叩かれたり、または音波や振動等の影響を受けたとき、オーディオ機器や、オーディオ機器を支持する薄板も、条件の違いに伴う程度の異なる共鳴および共振を生じる。そしてこれらの共鳴および共振の影響の下、オーディオ機器や、オーディオ機器を支持する薄板は、それらの元々持っていた、静止し静かで安定した正常な動作状態を保つことができなくなり、共振が生じて共鳴が発生されるため、オーディオ機器から歪んだ音声が出力される。
【０００３】
従来の、オーディオ機器を支持するための脚部とパッドは硬質材料から作られ、しかも、それらがオーディオ機器を支持するとき、脚部およびパッドとオーディオ機器との接触面積が大きいため、共振や共鳴がオーディオ機器に及ぼす影響を遮断することができない。振動が伝わってきたとき、オーディオ機器はそれに伴って共振や共鳴を生じ、出力される音声の歪み度が比較的大きくなる。
【発明の概要】
【発明が解決しようとする課題】
【０００４】
本発明の目的は、共鳴および共振を低減するための、弾性応力ホルダを有する防振装置および防振装置を備えたオーディオラックを提供することである。弾性応力ホルダをオーディオ機器のハウジングおよび／またはオーディオ機器を支持する薄板に予め使用する。これは、共鳴箱の中心位置に適当な応力を加えることと同様のこととなるので、その安定した内部応力により、オーディオ機器のハウジングおよび／またはオーディオ機器を支持する薄板が、当初の位置と状態を最大限に保つようにして、それらが共鳴や共振を生じさせないようにし、オーディオ機器の歪み度を低減させることができる。
【０００５】
弾性応力ホルダが長期にわたり安定した内部応力を発生させる方法には以下の２つがある。１つめは、オーディオ機器を弾性応力ホルダ上に適用し、オーディオ機器自体の重量を利用して、弾性応力ホルダ上に押し付けられる下向きの圧力を発生させることにより、弾性応力ホルダに変形を生じさせ、長期にわたり安定した内部応力を発生させることである。２つめは、弾性応力ホルダをねじ締め方式により、オーディオ機器の外部に物理的に締め付け、オーディオ機器にねじ締め付け圧力を加えることにより、弾性応力ホルダに変形を生じさせ、長期にわたり安定した内部応力を発生させることである。
【０００６】
このため、弾性応力ホルダを製造する材料に対して、高い要求が示されている。まず、弾性応力ホルダを製造する材料は、オーディオ機器自体の重量を支持するのに十分な強度を有していなければならない。次に、弾性応力ホルダを製造する材料は、オーディオ機器に加えられたときに一定の弾性変形が生じる適当な弾性を有していなければならない。
【０００７】
本発明の目的は、応力変形部と、前記応力変形部に対して一側方に向かって突出した複数の支持部とを有する弾性応力ホルダを含む、オーディオ機器用防振装置を提供することである。
【０００８】
本発明の目的は、前記弾性応力ホルダが、中実三角形形状、三点星形形状、中空三角形形状、または四脚橋形形状である防振装置をさらに提供することである。
【０００９】
本発明の目的は、前記支持部が、前記弾性応力ホルダを構成する形状の径方向外側端部に位置し、前記応力変形部が、前記支持部の間の連結部から形成される防振装置をさらに提供することである。
【００１０】
本発明の目的は、前記弾性応力ホルダが直線細長形状であり、前記支持部が、前記弾性応力ホルダを構成する直線細長形状の両端に位置する防振装置をさらに提供することである。
【００１１】
本発明の目的は、前記支持部の下端が、支持用の接触線を有しており、前記接触線が、前記弾性応力ホルダの直線細長形状の延在方向に対して傾斜しているかまたは垂直である防振装置をさらに提供することである。
【００１２】
本発明の目的は、前記弾性応力ホルダが弓形形状であり、前記弾性応力ホルダの弓形形状の両端が前記支持部を形成し、前記支持部の末端が、内向きに延びるフック部を有しており、前記応力変形部と前記支持部の内向きに延びるフック部との間に、オーディオ機器を保持するための保持空間が画成されている防振装置をさらに提供することである。
【００１３】
本発明の目的は、前記フック部上に、前記応力変形部に向かって延びる突起部を有する防振装置をさらに提供することである。
【００１４】
本発明の目的は、前記応力変形部上に突起部を有しており、前記応力変形部上の突起部の延在方向が前記支持部の延在方向と逆である防振装置をさらに提供することである。
【００１５】
本発明の目的は、前記弾性応力ホルダの材料が、ポリメタクリル酸メチル、ポリアクリル酸、ポリアクリレート、ポリカーボネート、ポリスチレン、ＰＥ、ＰＰ、ＰＥＴ、ＰＢＴ、およびＡＢＳのうち一種である防振装置をさらに提供することである。
【００１６】
本発明の目的は、複数の弾性応力ホルダの組み合わせ構造であり、少なくとも第１の弾性応力ホルダと第２の弾性応力ホルダとを含み、前記第１および第２の弾性応力ホルダが、応力変形部と支持部とをそれぞれ有しており、前記第１の弾性応力ホルダの応力変形部が前記第２の弾性応力ホルダに連結されている、オーディオ機器用防振装置をさらに提供することである。
【００１７】
本発明の目的は、前記第１の弾性応力ホルダの応力変形部が、前記第２の弾性応力ホルダの支持部が位置する一側方に位置しており、前記第１の弾性応力ホルダの支持部の延在方向と、前記第２の弾性応力ホルダの支持部の延在方向とが一致する防振装置をさらに提供することである。
【００１８】
本発明の目的は、前記第１の弾性応力ホルダの応力変形部が前記第２の弾性応力ホルダの応力変形部に連結されている防振装置をさらに提供することである。
【００１９】
本発明の目的は、前記第１の弾性応力ホルダが、周方向に分布する少なくとも２つの支持部を有する防振装置をさらに提供することである。
【００２０】
本発明の目的は、前記第２の弾性応力ホルダの支持部の末端が、内向きに延びるフック部を有しており、前記第１の弾性応力ホルダの支持部と前記第２の弾性応力ホルダの支持部の末端上の内向きに延びるフック部との間に、オーディオ機器を保持するための保持空間が画成されている防振装置をさらに提供することである。
【００２１】
本発明の目的は、前記第１の弾性応力ホルダの応力変形部が、前記第２の弾性応力ホルダの支持部上の、前記第２の弾性応力ホルダの応力変形部から遠位の一端部に連結され、前記第２の弾性応力ホルダの応力変形部に、オーディオ機器を支持するための支持面が形成されている防振装置をさらに提供することである。
【００２２】
本発明の目的は、前記第１の弾性応力ホルダが、中実三角形形状、三点星形形状、中空三角形形状、または四脚橋形形状である防振装置をさらに提供することである。
【００２３】
本発明の目的は、前記第１の弾性応力ホルダが直線細長形状であり、前記第１の弾性応力ホルダの支持部が、前記第１の弾性応力ホルダを構成する直線細長形状の両端に位置する防振装置をさらに提供することである。
【００２４】
本発明の目的は、前記第１の弾性応力ホルダの支持部の下端が、支持用の接触線を有しており、前記接触線が、前記第１の弾性応力ホルダの直線細長形状の延在方向に対して傾斜しているかまたは垂直である防振装置をさらに提供することである。
【００２５】
本発明の目的は、前記第１の弾性応力ホルダと前記第２の弾性応力ホルダの材料が、ポリメタクリル酸メチル、ポリアクリル酸、ポリアクリレート、ポリカーボネート、ポリスチレン、ＰＥ、ＰＰ、ＰＥＴ、ＰＢＴ、およびＡＢＳのうち一種または少なくとも２種の組み合わせである防振装置をさらに提供することである。
【００２６】
本発明の目的は、複数の弾性応力ホルダの組み合わせ構造であり、第１の弾性応力ホルダと第２の弾性応力ホルダとを少なくとも含み、前記第１および第２の弾性応力ホルダが、応力変形部と支持部とをそれぞれ有しており、前記第１の弾性応力ホルダの支持部と前記第２の弾性応力ホルダの支持部とが、反対の方向に向かって互いに遠ざかるように突出し、前記第２の弾性応力ホルダ上の支持部が前記第１の弾性応力ホルダ上の支持部と周方向にずれて配置される、オーディオ機器用防振装置をさらに提供することである。
【００２７】
本発明の目的は、前記第１の弾性応力ホルダが円環形状であり、前記第１の弾性応力ホルダの支持部の数が少なくとも３つであり、前記第１の弾性応力ホルダの少なくとも３つの支持部が周方向に均等に分布し、前記第１の弾性応力ホルダの応力変形部が、前記第１の弾性応力ホルダの支持部の間の円弧状をなす円環の区間から形成される防振装置をさらに提供することである。
【００２８】
本発明の目的は、前記第２の弾性応力ホルダが前記第１の弾性応力ホルダの下方に位置し、前記第２の弾性応力ホルダが円環形状であり、前記第２の弾性応力ホルダの支持部の数が少なくとも３つであり、前記第２の弾性応力ホルダの少なくとも３つの支持部が周方向に均等に分布し、前記第２の弾性応力ホルダの応力変形部が、前記第２の弾性応力ホルダの支持部の間の円弧状をなす円環の区間から形成されている防振装置をさらに提供することである。
【００２９】
本発明の目的は、前記第１の弾性応力ホルダの応力変形部と前記第１の弾性応力ホルダの支持部の連結位置に、幅が円環の幅よりも大きくかつ径方向外向きに延びる外側突起部を有し、前記第１の弾性応力ホルダの支持部が前記外側突起部上に設けられている防振装置をさらに提供することである。
【００３０】
本発明の目的は、前記第２の弾性応力ホルダの応力変形部と前記第２の弾性応力ホルダの支持部の連結位置に、幅が円環の幅よりも大きくかつ径方向内向きに延びる内側突起部を有し、前記第２の弾性応力ホルダの支持部が前記内側突起部上に設けられている防振装置をさらに提供することである。
【００３１】
本発明の目的は、前記第２の弾性応力ホルダの応力変形部上の隣り合う２つの支持部の間の中間位置に、前記第１の弾性応力ホルダの応力変形部上の外側突起部に対応する外側突出形状を有する防振装置をさらに提供することである。
【００３２】
本発明の目的は、前記第１の弾性応力ホルダの応力変形部上の隣り合う２つの支持部の間の中間位置に、前記第２の弾性応力ホルダの応力変形部上の内側突起部に対応する内側突出形状を有する防振装置をさらに提供することである。
【００３３】
本発明の目的は、前記第１の弾性応力ホルダが三点星形形状または中空三角形形状であり、前記第２の弾性応力ホルダが三点星形形状または中空三角形形状である防振装置をさらに提供することである。
【００３４】
本発明の目的は、前記第１の弾性応力ホルダと前記第２の弾性応力ホルダの材料が、ポリメタクリル酸メチル、ポリアクリル酸、ポリアクリレート、ポリカーボネート、ポリスチレン、ＰＥ、ＰＰ、ＰＥＴ、ＰＢＴ、およびＡＢＳのうち一種または少なくとも２種の組み合わせである防振装置をさらに提供することである。
【００３５】
本発明の目的は、フレームと、前記フレームに設けられた上述のような防振装置とを含む、防振装置を備えたオーディオラックをさらに提供することである。
【００３６】
本発明の目的は、前記フレームが、第１の支持柱、第２の支持柱、第３の支持柱、および第４の支持柱を含み、前記オーディオラックが、三角形に配置した第１、第２、および第３の防振装置を含み、前記第１および第２の防振装置はそれぞれ、上述のような、弾性応力ホルダを含む防振装置であり、それぞれ片持ち梁によって前記第１の支持柱および第２の支持柱上に支持され、前記第３の防振装置は、上述のような、複数の弾性応力ホルダの組み合わせ構造の防振装置であり、前記第３の防振装置の第２の弾性応力ホルダの２つの支持部が、それぞれカンチレバー方式で前記第３の支持柱および第４の支持柱上に支持され、前記第３の防振装置の第１の弾性応力ホルダが、前記第２の弾性応力ホルダの応力変形部の中部上側に設けられ、前記第１および第２の防振装置の弾性応力ホルダの応力変形部が、前記第３の防振装置の第１の弾性応力ホルダの応力変形部と共に、オーディオ機器を支持するための支持面を形成するオーディオラックをさらに提供することである。
【００３７】
上述した設計によって、オーディオ機器、弾性応力ホルダおよびオーディオ機器支持板の三者間の連接点が位置するすべての箇所において、オーディオ機器自体の重量と弾性応力ホルダの反発力により、長期にわたり安定した内部応力を形成することができる。これらの応力は、スピーカから伝わってくる音波や共振に比べて、応力強度が音波や共振のエネルギーよりも遥かに大きいため、大部分の共振がオーディオ機器、弾性応力ホルダおよびオーディオ機器支持板の三者に侵入することを防止することができるので、オーディオ機器の出力が外部の音波や共振の影響を受けないようになる。この場合、オーディオ機器は音波や共振に影響されることなく安定的に動作することができ、その本来の性能を達成し、出力される音声の歪み率が自然に低減することができる。
【００３８】
本発明の一部を構成する明細書の図面は、本発明に対するさらなる理解を提供するために用いられ、本発明の例示的な実施例およびその説明は、本発明を解釈するために用いられるが、本発明についての不適切な限定を構成しない。
【図面の簡単な説明】
【００３９】
【図１】本発明の、オーディオ機器用防振装置の１つめの実施例の斜視図を示す。
【図２】本発明の１つめの実施例の形状変形例の斜視図を示す。
【図３】本発明の１つめの実施例の複数の形状変形例の平面図を示す。
【図４】本発明の１つめの実施例の第２種の構造変形例の斜視図を示す。
【図５】本発明の１つめの実施例の第３種の構造変形例の底面斜視図を示す。
【図６】本発明の１つめの実施例の第３種の構造変形例の平面斜視図を示す。
【図７】本発明の１つめの実施例の第４種の構造変形例の斜視図を示す。
【図８】本発明の、オーディオ機器用防振装置の２つめの実施例の、使用状態における斜視図を示す。
【図９】本発明の２つめの実施例の形状変形例の斜視図を示す。
【図１０】本発明の２つめの実施例の第２種の構造変形例の、使用状態における斜視図を示す。
【図１１】本発明の、オーディオ機器用防振装置の３つめの実施例の斜視図を示す。
【図１２】本発明の３つめの実施例の形状変形例の平面図を示す。
【図１３】本発明の、防振装置を有するオーディオラックの斜視図を示す。
【図１４】本発明の、防振装置を有するオーディオラックの、使用状態における斜視図を示す。
【発明を実施するための形態】
【００４０】
説明しなければならないのは、矛盾しない限り、本発明中の実施例および実施例中の特徴は相互に組み合わせることができるという点である。以下、図面を参照し実施例に基づいて、本発明を詳しく説明する。
【００４１】
図１は、本発明の、オーディオ機器用防振装置の１つめの実施例の斜視図である。図１において、オーディオ機器用防振装置は弾性応力ホルダ１０を含み、弾性応力ホルダ１０は応力変形部１１と３つの支持部１３とを有し、支持部１３は応力変形部１１に対して一側方に向かって突出する。この実施例では、弾性応力ホルダ１０は中実三角形形状であり、中実三角形の各々の角の径方向外側端部に、支持面と接触する支持部１３を有しており、支持部の間の連結部が応力変形部１１を形成する。弾性応力ホルダ１０はオーディオ機器の脚部１２と支持面との間に設けられて、下方でオーディオ機器を支持するために用いられ、オーディオ機器自体の重量がオーディオ機器の脚部１２を介して弾性応力ホルダ１０の応力変形部１１に掛かり、応力変形部１１に弾性変形を生じさせ、長期にわたり安定した内部応力を発生させる。３つの支持部１３と支持面とが接触するとき、応力変形部１１全体を宙に浮かせる。また、支持部１３と支持面との間の接触面は球面であり、その接触は点接触であり、３つの支持部１３と支持面との間の三点接触によって、弾性応力ホルダ１０の設置をさらに安定化する。オーディオ機器自体の重量を支持し得るように、弾性応力ホルダ１０を製造する材料は、十分な強度を有することが必要であり、また、弾性応力ホルダ１０をオーディオ機器に使用するときに、弾性応力ホルダ１０の応力変形部１１が一定の弾性変形を生じるように、当該材料はさらに適当な弾性を有する必要がある。弾性応力ホルダ１０を製造する材料は、好ましくは、化学成分がポリメタクリル酸メチル（ＰＭＭＡ）であるアクリル（亜克力）（アクリル（亜加力）または有機ガラスとも言う）である。勿論、例えば、ポリアクリル酸、ポリアクリレート、ポリカーボネート、ポリスチレン、ＰＥ、ＰＰ、ＰＥＴ、ＰＢＴ、およびＡＢＳ等のうち一種などの、類似した性能を有する他の材料を使用してもよい。
【００４２】
図２は、本発明の１つめの実施例の形状変形例の斜視図である。図２において、この弾性応力ホルダ１０は三点星形（三叉状星形）形状であり、このような形状は、３本が中心で連接しかつ周方向に均等に分布して外方に延びる３つのストリップ状構造を有しており、中心交点から遠位の径方向の外側端部に、一側方に向かって突出する支持部１３を形成し、支持部の間の連結されたストリップ状構造が応力変形部１１を形成する。中実三角形形状と比べ、三点星形形状の弾性応力ホルダ１０は、より軽量であり、材料を節約し製造コストがより安いという利点を有し、比較的軽量のオーディオ機器を支持するのに好適である。
【００４３】
図３は、本発明の１つめの実施例の複数の形状変形例の平面図である。図３において、この弾性応力ホルダ１０は中空三角形形状１４を含み、中空三角形の３本の辺が弾性応力ホルダ１０の応力変形部１１を形成し、３本の辺が連結する箇所の三角形の頂点、すなわち中空三角形の径方向外側端部が、一側方に向かって突出する支持部１３を形成し、このような形状は、３本の辺が形成する平面でオーディオ機器を支持するのに好適であり、このような支持方式は、オーディオ機器の設置をさらに安定化する。図３において、中心に補強構造を持つ三点星形形状１５をさらに含んでおり、このような構造は、三点星形形状をベースに、隣り合う２本の外方に延びるストリップ状構造の間の、中心交点に近い位置に補強リブを設け、また、中心交点から遠位の径方向外側端部に、一側方に向かって突出する支持部１３を形成し、支持部の間の連結されたストリップ状構造およびその補強リブが応力変形部１１を形成し、三点星形形状の中心位置に補強リブを設けることにより、三点星形形状のストリップ状構造が細いことに起因する強度不足という欠点を克服し、重量が中程度であるオーディオ機器を支持するのに好適である。
【００４４】
図４は、本発明の１つめの実施例の第２種の構造変形例の斜視図である。図４において、弾性応力ホルダ１０は直線の細長形状であり、この弾性応力ホルダ１０は応力変形部１１と２つの支持部１３とを有しており、２つの支持部１３は応力変形部１１に対して一側方に向かって突出する。この実施例では、支持部１３は、弾性応力ホルダ１０を構成する直線細長形状の両端に位置し、支持面と接触するために用いられ、２つの支持部１３の間にある直線細長形が応力変形部１１である。支持部１３と支持面とが接触するとき、応力変形部１１全体を宙に浮かせる。また、支持部１３の下端が、支持用の接触線を有しており、接触線が、弾性応力ホルダ１０の直線細長形状の延在方向に対して傾斜しているかまたは垂直であり、２つの支持部１３と支持面との間が線接触となり、このような設計は、弾性応力ホルダ１０をさらに安定化する。
【００４５】
図５と図６は、本発明の１つめの実施例の第３種の構造変形例の底面斜視図および平面斜視図である。図５と図６において、弾性応力ホルダ１０が弓形形状であり、弓形形状の本体の棒部が応力変形部１１であり、弓形形状の両端が、オーディオ機器と接触する支持部１３を有しており、支持部１３の末端部が、内向きに延びるフック部１６を有している。弓形形状の弾性応力ホルダ１０の応力変形部１１と、支持部１３の内向きに延びるフック部１６との間に、オーディオ機器を保持するための保持空間が画成されており、オーディオ機器は通常、この保持空間内に配置される。使用時には、弾性応力ホルダ１０がオーディオ機器の周囲に挿入され、応力変形部１１の中間位置に設けられているボルト（図示せず）をねじ込んで、弾性応力ホルダ１０をオーディオ機器の周囲に締め付けることにより、周囲方向においてオーディオ機器に締め付け圧力を加え、応力変形部１１に変形を生じさせ、長期にわたり安定した内部応力を発生させる。また、フック部１６上に、応力変形部１１に向かって延びる突起部１７を設けてもよく、このような設計が、弾性応力ホルダ１０の、支持部１３におけるオーディオ機器との接触面積を有効に減らすことにより、防振や、共鳴および共振を低減する効果をさらに高めることができる。
【００４６】
図７は、本発明の１つめの実施例の第４種の構造変形例の斜視図である。図７において、弾性応力ホルダ１０は四脚橋形形状であり、四脚橋形形状の弾性応力ホルダ１０は応力変形部１１と４つの支持部１３とを有しており、支持部１３は応力変形部１１に対して一側方に向かって突出し、４つの支持部１３は四脚橋形形状の四つの脚に位置し、すなわち、弾性応力ホルダを構成する四脚橋形形状の径方向外側端部に位置し、４つの支持部１３の間の橋形形状が応力変形部１１を形成する。通常の場合には、四脚橋形形状の弾性応力ホルダ１０はオーディオ機器の下部に設けられ、下方からオーディオ機器を支持するために用いられる。支持部１３と支持面とが接触するとき、応力変形部１１全体を宙に浮かせ、オーディオ機器自体の重量が応力変形部１１上に掛かり、応力変形部１１に変形を生じさせ、長期にわたり安定した内部応力を発生させる。また、応力変形部１１上に突起部１７を設けてもよく、応力変形部１１上のこの突起部１７の延在方向は支持部１３の延在方向と逆であり、このような構造が、弾性応力ホルダ１０の、応力変形部１１におけるオーディオ機器との接触面積を有効に減らすことにより、防振や、共鳴および共振を低減する効果をさらに高めることができる。
【００４７】
図８は、本発明の、オーディオ機器用防振装置の２つめの実施例の、使用状態における斜視図である。図８において、オーディオ機器４０用の防振装置は、複数の弾性応力ホルダの組み合わせ構造であり、第１の弾性応力ホルダ２０と第２の弾性応力ホルダ３０とを少なくとも含む。第１の弾性応力ホルダ２０は直線の細長形状の弾性応力ホルダであり、直線の細長形状の両端に、オーディオ機器４０と接触する２つの支持部２３を有しており、２つの支持部２３の間にある直線細長形が応力変形部２１であり、支持部２３は応力変形部２１に対してオーディオ機器の一側方に向かって突出し、２つの支持部２３とオーディオ機器４０とが接触するとき、応力変形部２１全体を宙に浮かせる。第１の弾性応力ホルダ２０の支持部２３の下端が、オーディオ機器４０と接触し支持するための接触線を有しており、この接触線が、第１の弾性応力ホルダ２０の直線細長形状の延在方向に対して傾斜しているかまたは垂直であり、支持部２３とオーディオ機器４０との間が２つの線接触となり、このようにして、第１の弾性応力ホルダ２０の設置をさらに安定化する。図８において、第２の弾性応力ホルダ３０は、オーディオ機器の周囲に設けられる弓形形状の弾性応力ホルダであり、弓形形状の両端に２つの支持部３３を有しており、２つの支持部３３の間に応力変形部３１を形成し、２つの支持部３３の末端が、内向きに延びるフック部３６（図中には１つだけ示した）をそれぞれ有しており、第１の弾性応力ホルダ２０は、その応力変形部２１が第２の弾性応力ホルダ３０の応力変形部３１に連結することにより、第２の弾性応力ホルダ３０に連結される。第１の弾性応力ホルダ２０の直線の細長形状の延在方向と、第２の弾性応力ホルダ３０の弓形形状棒部の延在方向とが一定の角度を形成し、好ましくは直角の角度を形成する。この実施例では、第１の弾性応力ホルダ２０の応力変形部２１は、第２の弾性応力ホルダ３０の支持部３３が位置する一側方に位置しており、かつ、第１の弾性応力ホルダ２０の支持部２３の延在方向と、第２の弾性応力ホルダ３０の支持部３３の延在方向とが一致し、第１の弾性応力ホルダ２０の支持部２３と第２の弾性応力ホルダ３０の支持部３３の末端上の内向きに延びるフック部３６との間に、オーディオ機器４０を保持するための保持空間が画成されており、使用においては、連結ボルトをねじ込むことにより第１の弾性応力ホルダ２０と第２の弾性応力ホルダ３０とを組み合わせて締め付けてオーディオ機器の周囲に押し付け、周囲方向からオーディオ機器に締め付け圧力を加えるために用いられ、第１の弾性応力ホルダ２０の応力変形部２１と第２の弾性応力ホルダ３０の応力変形部３１とに変形を生じさせ、長期にわたり安定した内部応力を発生させる。ここで、第１の弾性応力ホルダ２０と第２の弾性応力ホルダ３０は同じ種類の材料を使用することができ、異なる種類の材料を使用することもできる。好ましくは、第１の弾性応力ホルダ２０と第２の弾性応力ホルダ３０の材料は、化学成分がポリメタクリル酸メチル（ＰＭＭＡ）であるアクリル（亜克力）（アクリル（亜加力）または有機ガラスとも言う）である。当然ながら、例えば、ポリアクリル酸、ポリアクリレート、ポリカーボネート、ポリスチレン、ＰＥ、ＰＰ、ＰＥＴ、ＰＢＴ、およびＡＢＳのうち１種または少なくとも２種の組み合わせなどの、類似した性能を有する他の材料を使用してもよい。
【００４８】
図９は、図８中の本発明の２つめの実施例の形状変形例の部分拡大斜視図である。この実施例では、第１の弾性応力ホルダ２０が、中実三角形形状の弾性応力ホルダであり、中実三角形の各々の角の径方向外側端部に、オーディオ機器４０と接触する３つの支持部２３を有しており、３つの支持部２３の間の中実三角形連結部が応力変形部２１であり、支持部２３は応力変形部２１に対してオーディオ機器４０の方向へ突出しており、３つの支持部２３とオーディオ機器４０とが接触するとき、応力変形部２１全体を宙に浮かせる。第１の弾性応力ホルダ２０の３つの支持部２３とオーディオ機器４０との間の接触面は球面であり、その接触は点接触であり、３つの支持部２３とオーディオ器材４０との間の三点接触によって、弾性応力ホルダ２０の設置をさらに安定化する。この実施例では、第２の弾性応力ホルダ３０もまた弓形形状の弾性応力ホルダであり、図中に第２の弾性応力ホルダの一部のみを示しており、連結ボルト２５が第１の弾性応力ホルダ２０の応力変形部２１の中心を第２の弾性応力ホルダ３０の応力変形部３１に連結することにより、第１の弾性応力ホルダ２０と第２の弾性応力ホルダ３０とを連結する。ここで、第１の弾性応力ホルダ２０については、例えば、三点星形形状、中空三角形形状、または四脚橋形形状の弾性応力ホルダなど、本発明の上述の他の形状の弾性応力ホルダを使用することもできる。
【００４９】
図１０は、本発明の２つめの実施例の第２種の構造変形例の、使用状態における斜視図である。図１０において、オーディオ機器４０用防振装置は、複数の弾性応力ホルダの組み合わせ構造であり、第１の弾性応力ホルダ２０と第２の弾性応力ホルダ３０とを少なくとも含む。第１の弾性応力ホルダは直線細長形状の弾性応力ホルダであり、直線細長形状の両端に、支持面と接触する２つの支持部２３を有しており、２つの支持部２３の間にある直線細長形が応力変形部２１であり、支持部２３は応力変形部２１に対して支持面の一側方に向かって突出し、２つの支持部２３と支持面とが接触するとき、応力変形部２１全体を宙に浮かせる。第１の弾性応力ホルダ２０の支持部２３の下端が、支持面と接触し支持するための接触線を有しており、この接触線が、第１の弾性応力ホルダ２０の直線細長形状の延在方向に対して傾斜しているかまたは垂直であり、支持部２３と支持面との間に２つの線接触となり、このようにして、第１の弾性応力ホルダ２０の設置をさらに安定化する。図１０において、第２の弾性応力ホルダ３０もまた、オーディオ機器４０の下部に設けられる直線細長形状の弾性応力ホルダであり、第２の弾性応力ホルダ３０の直線細長形状の両端に支持部３３をそれぞれ有しており、２つの支持部３３の間に応力変形部３１を形成し、第１の弾性応力ホルダ２０は、その応力変形部２１が、第２の弾性応力ホルダ３０の支持部３３上の、第２の弾性応力ホルダ３０の応力変形部３１から遠位の一端部に連結することにより、第２の弾性応力ホルダ３０上に連結される。第１の弾性応力ホルダ２０の直線細長形状の延在方向と、第２の弾性応力ホルダ３０の直線細長形状の延在方向とが一定の角度を形成し、好ましくは直角の角度を形成する。この実施例では、第１の弾性応力ホルダ２０の応力変形部２１は、第２の弾性応力ホルダ３０の支持部３３が位置する一側方に位置しており、かつ、第１の弾性応力ホルダ２０の支持部２３の延在方向と、第２の弾性応力ホルダ３０の支持部３３の延在方向とが一致し、第２の弾性応力ホルダ３０の応力変形部３１上に、オーディオ機器４０を支持するための支持面を形成し、使用においては、オーディオ機器４０を第２の弾性応力ホルダ３０の応力変形部３１上に配置し、オーディオ機器４０自体の重力作用により、オーディオ機器４０を複数の弾性応力ホルダの組み合わせ構造に押し付け、それらに圧力を加え、第１の弾性応力ホルダ２０の応力変形部２１と第２の弾性応力ホルダ３０の応力変形部３１とに変形を生じさせ、長期にわたり安定した内部応力を発生させる。ここで、第１の弾性応力ホルダ２０と第２の弾性応力ホルダ３０は同じ種類の材料を使用することができ、異なる種類の材料を使用することもできる。好ましくは、第１の弾性応力ホルダ２０と第２の弾性応力ホルダ３０の材料は、化学成分がポリメタクリル酸メチル（ＰＭＭＡ）であるアクリル（亜克力）（アクリル（亜加力）または有機ガラスとも言う）である。当然ながら、例えば、ポリアクリル酸、ポリアクリレート、ポリカーボネート、ポリスチレン、ＰＥ、ＰＰ、ＰＥＴ、ＰＢＴ、およびＡＢＳのうち１種または少なくとも２種の組み合わせなどの、類似した性能を有する他の材料を使用してもよい。また、第１の弾性応力ホルダ２０については、例えば、三点星形形状、中空三角形形状、または四脚橋形形状の弾性応力ホルダなど、本発明の上述の他の形状の弾性応力ホルダを使用することもできる。
【００５０】
図１１は、本発明の、オーディオ機器用の防振装置の３つめの実施例の斜視図である。図１１において、オーディオ機器４０用防振装置は、複数の弾性応力ホルダの組み合わせ構造であり、第１の弾性応力ホルダ２０と第２の弾性応力ホルダ３０とを少なくとも含む。第１の弾性応力ホルダ２０と第２の弾性応力ホルダ３０はいずれも円環形状の弾性応力ホルダであり、第１の弾性応力ホルダ２０は、円環形状の円周上に、オーディオ機器４０と接触する、均等に分布する３つの支持部２３を有しており、３つの支持部２３の間にある３つの円弧状の円環区間が応力変形部２１であり、第２の弾性応力ホルダ３０が前記第１の弾性応力ホルダ２０の下方に位置し、第２の弾性応力ホルダ３０は、円環形状の円周上に支持面と接触する、均等に分布する３つの支持部３３を有しており、３つの支持部３３の間にある３つの円弧状の円環区間は応力変形部３１であり、第２の弾性応力ホルダ３０上の支持部３３が前記第１の弾性応力ホルダ２０上の支持部２３と周方向にずれて配置され、かつ、第１の弾性応力ホルダ２０の支持部２３と前記第２の弾性応力ホルダ３０の支持部３３とが、反対の方向に向かって互いに遠ざかるように突出する。すなわち、第１の弾性応力ホルダ２０の応力変形部２１が、第２の弾性応力ホルダ３０の支持部３３の反対の一側方に位置し、第２の弾性応力ホルダ３０の応力変形部３１が、第１の弾性応力ホルダ２０の支持部２３の反対の一側方に位置する。第１の弾性応力ホルダ２０の３つの支持部２３とオーディオ機器４０とが接触し、かつ、第２の弾性応力ホルダ３０の３つの支持部３３と支持面とが接触するとき、第１の弾性応力ホルダ２０の応力変形部２１と第２の弾性応力ホルダ３０の応力変形部３１全体を宙に浮かせる。図１１において、第１の弾性応力ホルダ２０の支持部２３に連結される第１の弾性応力ホルダ２０の応力変形部２１が、幅が円環の幅よりも大きくかつ径方向外向きに延びる外側突起部２８を有しており、第１の弾性応力ホルダ２０の支持部２３が外側突起部２８に設けられ、第２の弾性応力ホルダ３０の支持部３３に連結される第２の弾性応力ホルダ３０の応力変形部３１が、幅が円環の幅よりも大きくかつ径方向内向きに延びる内側突起部３８を有しており、第２の弾性応力ホルダ３０の支持部３３が内側突起部３８に設けられる。この実施例では、第２の弾性応力ホルダ３０の応力変形部３１上の隣り合う２つの支持部３３の間の中間位置に、第１の弾性応力ホルダ２０の応力変形部２１上の外側突起部２８に対応する外側突出形状を有する。第１の弾性応力ホルダ２０の応力変形部２１上の隣り合う２つの支持部２３の間の中間位置に、第２の弾性応力ホルダ３０の応力変形部３１上の内側突起部３８に対応する内側突出形状を有する。互いに対応する外側突出形状と内側突出形状が外側突起部２８と内側突起部３８とに対してそれぞれ支持作用を果たす。使用においては、第１の弾性応力ホルダ２０と第２の弾性応力ホルダ３０とを組み合わせてオーディオ機器４０と支持面との間に配置することにより、下側からオーディオ機器４０を支持するために用い、第１の弾性応力ホルダ２０の応力変形部２１と第２の弾性応力ホルダ３０の応力変形部３１とに変形を生じさせ、長期にわたり安定した内部応力を発生させる。ここで、第１の弾性応力ホルダ２０と第２の弾性応力ホルダ３０は同じ種類の材料を使用することができ、異なる種類の材料を使用することもできる。好ましくは、第１の弾性応力ホルダ２０と第２の弾性応力ホルダ３０の材料は、化学成分がポリメタクリル酸メチル（ＰＭＭＡ）であるアクリル（亜克力）（アクリル（亜加力）または有機ガラスとも言う）である。当然ながら、例えば、ポリアクリル酸、ポリアクリレート、ポリカーボネート、ポリスチレン、ＰＥ、ＰＰ、ＰＥＴ、ＰＢＴ、およびＡＢＳのうち１種または少なくとも２種の組み合わせなどの、類似した性能を有する他の材料を使用してもよい。
【００５１】
図１２は、図１１中の本発明の３つめの実施例の形状変形例の平面図である。この実施例では、第１の弾性応力ホルダ２０は三点星形形状の弾性応力ホルダであり、第２の弾性応力ホルダは中空三角形形状の弾性応力ホルダであり、第１の弾性応力ホルダ２０の三点星形形状の各々の叉状部の径方向外側端部に、オーディオ機器４０と接触する３つの支持部２３を有しており、３つの支持部２３の間の三点星形連結部が応力変形部２１であり、支持部２３は応力変形部２１に対してオーディオ機器４０の方向へ突出する。第２の弾性応力ホルダ３０の中空三角形形状の各々の角部が、支持面と接触する３つの支持部３３を有しており、３つの支持部３３の間の三角形の辺部が応力変形部３１であり、支持部３３は応力変形部３１に対して支持面の方向へ突出する。ここで、第１の弾性応力ホルダ２０と第２の弾性応力ホルダ３０とは、例えば、三点星形形状または中空三角形形状の弾性応力ホルダなど、本発明の上述の他の形状の弾性応力ホルダをそれぞれ使用することもできる。
【００５２】
図１３と図１４は、本発明の、防振装置を備えたオーディオラックおよびその使用状態における斜視図である。図１３と図１４において、オーディオラックはフレーム５０を有しており、フレーム５０上に上述したような防振装置が設けられている。フレーム５０が、第１の支持柱５１、第２の支持柱５２、第３の支持柱５３、および第４の支持柱５４を含み、オーディオラックが、三角形に配置した３つの防振装置を含み、第１および第２の防振装置がそれぞれ、上述のような、本発明の１つめの実施例の、弾性応力ホルダ１０および１０’を含む防振装置であり、それぞれ片持ち梁によって第１の支持柱５１および第２の支持柱５２上に支持され、第３の防振装置は、上述のような、本発明の２つめの実施例の複数の弾性応力ホルダ２０および３０の組み合わせ構造の防振装置であり、第３の防振装置の第２の弾性応力ホルダ３０の２つの支持部３３が、それぞれカンチレバー方式で第３の支持柱５３および第４の支持柱５４上に支持され、第３の防振装置の第１の弾性応力ホルダ２０は、第２の弾性応力ホルダ３０の応力変形部３１の中部上側に設けられ、第１および第２の防振装置の弾性応力ホルダ１０および１０’の応力変形部が、第３の防振装置の第１の弾性応力ホルダ２０の応力変形部と共に、オーディオ機器を支持するための支持面を形成し、３つの防振装置の高さ位置を調節することによって、オーディオ機器を支持するための３つの弾性応力ホルダ１０，１０’および２０が同一高さの平面にあるようにする。この実施例では、３つの弾性応力ホルダ１０，１０’および２０がいずれも四脚橋形形状であり、当然ながら、例えば、直線細長形状、三点星形形状または中空三角形形状の弾性応力ホルダなど、上記で言及した他の形状の弾性応力ホルダを採用してもよい。ここで、３つの防振装置は、同じ種類の材料を使用することができ、異なる種類の材料を使用することもできる。好ましくは、防振装置的材料は、化学成分がポリメタクリル酸メチル（ＰＭＭＡ）であるアクリル（亜克力）（アクリル（亜加力）または有機ガラスとも言う）である。当然ながら、例えば、ポリアクリル酸、ポリアクリレート、ポリカーボネート、ポリスチレン、ＰＥ、ＰＰ、ＰＥＴ、ＰＢＴ、およびＡＢＳのうち１種または少なくとも２種以上の組み合わせなどの、類似した性能を有する他の材料を使用してもよい。
【００５３】
オーディオ機器の種類が非常に多く、形状、寸法、および重量等の特徴も完全に同じではないため、オーディオ機器用防振装置を設計製造する際に、異なる形状、寸法、および重量のオーディオ機器について、それに適した異なる形態になるように防振装置を設計製造することにより、相互に適合する度合いを達成することで、異なる種類のオーディオ機器の使用要件を満たし、最終的に、共鳴および共振を低減し、歪み度を減少する最も望ましい効果を達することができる。
【００５４】
また、オーディオ機器用防振装置をオーディオ機器の外部に設けることができるほか、オーディオ機器とオーディオ機器支持板とを設計製造する際に、十分な空間をその内部に予め確保しておき、防振装置をオーディオ機器とオーディオ機器支持板の内部に設け、このようにしてオーディオ機器とオーディオ機器支持板の外観をより美しくし、使用した際にさらに便利にすることもできる。
【００５５】
上記は、本発明の好ましい実施例であるに過ぎず、本発明を限定するためには用いられず、当業者にとっては、本発明には種々の変更や変化があり得る。本発明の趣旨と原則の枠内で行われたいかなる修正、均等物置換、改良等も、すべて本発明の保護範囲に含まれることとする。
【符号の説明】
【００５６】
１０  弾性応力ホルダ
１１  応力変形部
１２  オーディオ機器脚部
１３  支持部
１４  中空三角形形状
１５  中心補強構造を持つ三点星形形状
１６  フック部
１７  突起部
２０  第１の弾性応力ホルダ
２１  応力変形部
２３  支持部
２５  連結ボルト
２８  外側突起部
３０  第２の弾性応力ホルダ
３１  応力変形部
３３  支持部
３６  フック部
３８  内側突起部
４０  オーディオ機器
５０  フレーム
５１  第１の支持柱
５２  第２の支持柱
５３  第３の支持柱
５４  第４の支持柱
【図１】
2018162882.tif 000003
【図２】
2018162882.tif 000004
【図３】
2018162882.tif 000005
【図４】
2018162882.tif 000006
【図５】
2018162882.tif 000007
【図６】
2018162882.tif 000008
【図７】
2018162882.tif 000009
【図８】
2018162882.tif 000010
【図９】
2018162882.tif 000011
【図１０】
2018162882.tif 000012
【図１１】
2018162882.tif 000013
【図１２】
2018162882.tif 000014
【図１３】
2018162882.tif 000015
【図１４】
2018162882.tif 000016
【外国語明細書】
2018162882000001.pdf